(57)【要約】【課題】  冷蔵室の内部を冷却するための冷凍ユニットを前記冷蔵庫から着脱自在に設置することで、冷蔵庫の製造工程を単純化し、冷蔵庫のメンテナンスを容易に行い得る冷蔵庫を提供する。【解決手段】  内部に空間が形成されたキャビネット１０と、該キャビネット１０の内部空間を冷蔵室１２と機械室１４とに区画し、前記冷蔵室１２内部の空気が前記機械室１４に流入する空気循環口２２及び前記機械室１４内部の冷気が前記冷蔵室１２に流入する冷気流入口２４がそれぞれ形成された区画パネル２０と、前記機械室１４の内部に着脱自在に設置され、圧縮、凝縮、膨脹及び蒸発の冷凍サイクルを行う各メカニズムが一体に構成されることで前記冷蔵室１２に冷気を供給する冷凍ユニット３１と、を含んで冷蔵庫を構成する。【選択図】      図１
2005037121.tif 000002
【特許請求の範囲】
【請求項１】
内部に空間が形成されたキャビネットと、
該キャビネットの内部空間を冷蔵室と機械室とに区画し、前記冷蔵室内部の空気が前記機械室に流入する空気循環口及び前記機械室内部の冷気が前記冷蔵室に流入する冷気流入口がそれぞれ形成された区画パネルと、
前記機械室の内部に着脱自在に設置され、圧縮、凝縮、膨脹及び蒸発の冷凍サイクルを行う各メカニズムが一体に構成されることで前記冷蔵室に冷気を供給する冷凍ユニットと、
を含んで構成されることを特徴とする冷蔵庫。
【請求項２】
前記冷凍ユニットは、
冷媒を圧縮する圧縮器と、
該圧縮器により圧縮された冷媒を液化させる凝縮器と、
該凝縮器により液化した高温高圧の冷媒を低温低圧の冷媒に変化させる膨脹弁と、
該膨脹弁を通過した低温低圧の液体冷媒を気化させながら周囲の熱を吸収する蒸発器と、
該蒸発器周囲の空気を前記冷蔵室内に供給する循環ファンと、
該循環ファンを駆動させる駆動モータと、
から構成されることを特徴とする請求項１記載の冷蔵庫。
【請求項３】
前記機械室は、
外部と連通し、前記圧縮器、前記凝縮器及び前記膨脹弁が収納される第１室と、
該第１室と遮断されるとともに外部から密閉され、前記空気循環口及び前記冷気流入口により前記冷蔵室と連通し、前記蒸発器及び前記循環ファンが収納される第２室と、
から構成されることを特徴とする請求項２記載の冷蔵庫。
【請求項４】
前記第１室には、前記凝縮器内部の冷媒を放熱させるために、前記第１室内部の空気を循環させる凝縮器ファンが設置されることを特徴とする請求項３記載の冷蔵庫。
【請求項５】
前記駆動モータは、前記第１室及び前記第２室側に一対の回転軸がそれぞれ延長され、前記一対の回転軸に前記循環ファン及び前記凝縮器ファンがそれぞれ連結されることを特徴とする請求項４記載の冷蔵庫。
【請求項６】
前記凝縮器ファンは、前記凝縮器を基準に空気の流動方向の前方側に配設されることを特徴とする請求項５記載の冷蔵庫。
【請求項７】
前記凝縮器ファンは、前記凝縮器を基準に空気の流動方向の後方側に配設されることを特徴とする請求項５記載の冷蔵庫。
【請求項８】
前記機械室の一方側には、外部と前記第１室とを連通させる通気口を有するカバーが設置されることを特徴とする請求項３記載の冷蔵庫。
【請求項９】
前記機械室の底部には、前記冷凍ユニットを支持するベースプレートがさらに備えられることを特徴とする請求項１記載の冷蔵庫。
【請求項１０】
前記区画パネルは、前記冷蔵室の底面及び前記機械室の上面をなすことを特徴とする請求項１記載の冷蔵庫。
【発明の詳細な説明】
【技術分野】
【０００１】
本発明は、冷蔵庫に関するもので、詳しくは、冷蔵庫の製造工程を単純化し、冷蔵室を冷却するための冷凍ユニットのメンテナンスを容易に行い得る冷蔵庫に関するものである。
【背景技術】
【０００２】
図６及び図７に示したように、従来の冷蔵庫は、内部に冷蔵物が保存される冷蔵室１１２が形成され、前面にドア１１５が装着される本体１１０と、前記冷蔵室１１２の内部を冷却するために、圧縮器１３３、凝縮器１３４、膨脹弁１３２及び蒸発器１３５などがそれぞれ冷媒管１０５に連結されて構成される冷凍ユニット１２０と、を含んで構成される。
【０００３】
また、前記冷凍ユニット１２０において、圧縮器１３３、膨脹弁１３２、凝縮器１３４及び該凝縮器１３４内部の冷媒を放熱させるための凝縮器ファン１３７が設けられて、作動時に高温が発生する高温部１３０は、前記冷蔵室１１２と隔壁１１１により遮断された機械室１１４に設置され、前記蒸発器１３５及び該蒸発器１３５を通過して冷却された空気を前記冷蔵室１１２の内部に循環させる循環ファン１３６を含む低温部１４０は、前記冷蔵室１１２の内部に設置される。
【０００４】
このように構成された従来の冷蔵庫においては、前記圧縮器１３３で低温低圧の気体冷媒が高温高圧の気体冷媒に変化し、前記凝縮器１３４で前記圧縮器１３３を通過した高温高圧の気体冷媒が高温高圧の液体冷媒に変化し、前記膨脹弁１３２で前記凝縮器１３４を通過した高温高圧の液体冷媒が低温低圧の液体冷媒に変化し、前記蒸発器１３５で前記膨脹弁１３２を通過した低温低圧の液体冷媒が気体状態に変化しながら前記蒸発器１３５周囲の熱を吸収する。よって、このような冷凍サイクルにより前記蒸発器１３５を通過する空気が冷却され、該冷却された空気は前記循環ファン１３６により前記冷蔵室１１２の内部を循環しながら該冷蔵室１１２の内部を冷却させる。
【発明の開示】
【発明が解決しようとする課題】
【０００５】
しかしながら、このような従来の冷蔵庫においては、冷凍ユニット１２０の高温部１３０が冷蔵室１１２と隔壁１１１により隔離された機械室１１４に設置され、前記低温部１４０は前記冷蔵室１１２の内部に設置されるために、冷蔵庫の組立工程で前記高温部１３０及び低温部１４０を別途に製作した後、前記冷蔵室１１２及び機械室１１４にそれぞれ分けて設置するようになり、よって、冷蔵庫の製造工程が複雑であるという問題点があった。
【０００６】
また、冷蔵庫の製造または使用中に、前記冷凍ユニット１２０のメンテナンスが要求される場合、冷蔵庫の本体１１０から前記冷凍ユニット１２０のみを別途に分離して修理することが難しいため、冷蔵庫のメンテナンスによる作業時間及び費用が増加するという問題点があった。
【０００７】
本発明は、このような従来の課題に鑑みてなされたもので、冷蔵室の内部を冷却するための冷凍ユニットを前記冷蔵庫から着脱自在に設置することで、冷蔵庫の製造工程を単純化し、冷蔵庫のメンテナンスを容易に行い得る冷蔵庫を提供することを目的とする。
【課題を解決するための手段】
【０００８】
このような目的を達成するため、本発明に係る冷蔵庫は、内部に空間が形成されたキャビネットと、該キャビネットの内部空間を冷蔵室と機械室とに区画し、前記冷蔵室内部の空気が前記機械室に流入する空気循環口及び前記機械室内部の冷気が前記冷蔵室に流入する冷気流入口がそれぞれ形成された区画パネルと、前記機械室の内部に着脱自在に設置され、圧縮、凝縮、膨脹及び蒸発の冷凍サイクルを行う各メカニズムが一体に構成されることで前記冷蔵室に冷気を供給する冷凍ユニットと、を含んで構成されることを特徴とする。
【発明の効果】
【０００９】
本発明に係る冷蔵庫においては、冷蔵室の内部に冷気を供給する冷凍ユニットを冷蔵庫から着脱自在に設置することで、冷蔵庫の製造工程を単純化し、冷蔵庫のメンテナンスを容易に行い得るという効果がある。
【発明を実施するための最良の形態】
【００１０】
以下、本発明の最良の実施形態について図面に基づいて説明する。
図１に示したように、本発明に係る冷蔵庫の第１実施形態は、内部に空間が形成され、前面にドア１５が装着されるキャビネット１０と、該キャビネット１０の内部に設置されて、冷蔵室１２の底面及び機械室１４の上面をなしてキャビネット１０の内部空間を冷蔵室１２と機械室１４とに区画し、前記冷蔵室１２内部の空気が前記機械室１４に流入する空気循環口２２及び前記機械室１４内部の冷気が前記冷蔵室１２に流入する冷気流入口２４がそれぞれ形成された区画パネル２０と、前記機械室１４の内部に着脱自在に設置され、圧縮、凝縮、膨脹及び蒸発の冷凍サイクルを行う各メカニズムが一体に構成されることで前記冷蔵室１２に冷気を供給する冷凍ユニット３１と、を含んで構成されている。
【００１１】
且つ、図２に示したように、前記キャビネット１０は、前記冷蔵室１２の左右側壁をなす左右側パネル１０１と、前記冷蔵室１２の上側壁をなす上側パネル１０２と、前記冷蔵室１２の後側壁をなす後側パネル１０３と、から構成され、前記キャビネット１０は、各パネル１０１、１０２、１０３の組立により製作される。
【００１２】
また、図１及び図３に示したように、前記冷凍ユニット３１は、前記機械室１４を外部と連通する第１室１４１と前記区画パネル２０の冷気流入口２４及び空気循環口２２と連通し外部から密閉される第２室１４２とに区画するケーシング３２と、前記第１室１４１の内部底面上に設置されて冷媒を圧縮する圧縮器３３と、該圧縮器３３により圧縮された冷媒を液化させる凝縮器３４と、該凝縮器３４により液化した高温高圧の冷媒を低温低圧の冷媒に変化させる膨脹弁(図示せず)と、前記第２室１４２の内部に設置され、前記膨脹弁を通過した低温低圧の液体冷媒を気化させながら周囲の熱を吸収する蒸発器３５と、該蒸発器３５周囲の空気を前記冷蔵室１２に供給する循環ファン３６１及び駆動モータ３６２からなる冷気循環装置３６と、前記第１室１４１の内部に配置され、前記凝縮器３４内部の冷媒を放熱させるための凝縮器ファン３７１及び駆動モータ３７２からなる放熱装置３７と、このような冷凍ユニット３１の各構成要素を底面に支持させるベースプレート５０と、を含んで構成されている。一方、前記機械室１４の前面には、外部の空気を前記第１室１４１に流入させるための複数個の通気口１８が形成された前面カバー１７が設置される。
【００１３】
ここで、前記凝縮器ファン３７１は、前記凝縮器３４を基準に空気の流動方向の前方側に配設されるが、これに限定されることなく、前記凝縮器３４を基準に空気の流動方向の後方側に配設することもできる。
【００１４】
このような冷凍ユニット３１は、前記ベースプレート５０の上面に圧縮器３３、凝縮器３４、膨脹弁及び蒸発器３５が一体に備えられるために、前記冷凍ユニット３１を前記キャビネット１０に容易に装着し、且つ、離脱させることができる。
【００１５】
以下、このように構成された本発明に係る第１実施形態の冷蔵庫の動作について説明する。
まず、前記区画パネル２０の下方に形成される機械室１４の内部に前記ベースプレート５０の上面に設置された前記冷凍ユニット３１を挿入すると、前記ケーシング３２と前記区画パネル２０とが接して外部から密閉される第２室１４２が形成され、該第２室１４２と前記冷蔵室１２とが前記区画パネル２０の前記空気循環口２２及び前記冷気流入口２４を介して連通して冷気が循環する流路が形成される。
【００１６】
そして、電圧が印加されて運転が開始されると、圧縮器３３で圧縮された冷媒は凝縮器３４で放熱して凝縮され、該凝縮された冷媒は膨脹弁(図示せず)を通して蒸発器３５に流入する。このとき、前記放熱装置３７により前記凝縮器３４内部の冷媒の放熱が促進され、前記冷気循環装置３６により前記冷蔵室１２内部の空気が空気循環口２２を通して流入し、前記蒸発器３５を通過しながら冷却された後、前記冷気流入口２４を通して前記冷蔵室１２に流入することで、前記冷蔵室１２の内部が冷却される。
【００１７】
一方、前記冷凍ユニット３１のメンテナンスを行う場合は、前記前面カバー１７を取り外し、前記ベースプレート５０を前方に引っ張ると、前記冷凍ユニット３１が前記キャビネット１０から簡単に分離される。
【００１８】
このような本発明に係る冷蔵庫の第１実施形態は、前記キャビネット１０及び前記冷凍ユニット３１をそれぞれ別途に製作して組み立てることが可能であるため、冷蔵庫の組立工程が簡単であるという利点がある。また、前記冷凍ユニット３１を前記キャビネット１０から容易に分離することができるため、前記冷凍ユニット３１のメンテナンスを簡単に行うことができるし、作業時間及び費用を低減し得るという効果がある。
【００１９】
以下、本発明の第２実施形態について、図４及び図５に基づいて説明する。前述した本発明の第１実施形態と同様な部分については、同一符号を付して説明は省略する。
【００２０】
図４に示したように、本発明に係る冷蔵庫の第２実施形態は、内部に空間が形成され、前面にドア１５が設置されるキャビネット１０と、該キャビネット１０の内部空間を冷蔵室１２と機械室１４とに区画し、前記冷蔵室１２内部の空気が前記機械室１４に流入する空気循環口２２及び前記機械室１４内部の冷気が前記冷蔵室１２に流入する冷気流入口２４がそれぞれ形成された区画パネル２０と、前記機械室１４の内部に着脱自在に設置され、圧縮、凝縮、膨脹及び蒸発の冷凍サイクルを行う各メカニズムが一体に構成されることで前記冷蔵室１２に冷気を供給する冷凍ユニット３１と、を含んで構成されている。
【００２１】
図５に示したように、前記冷凍ユニット３１は、前記機械室１４を外部と連通する第１室１４１と前記区画パネル２０の冷気流入口２４及び空気循環口２２と連通し外部から密閉される第２室１４２とに区画するケーシング３２と、前記第１室１４１の内部に設置されて冷媒を圧縮する圧縮器３３と、該圧縮器３３により圧縮された冷媒を液化させる凝縮器３４と、該凝縮器３４により液化した高温高圧の冷媒を低温低圧の冷媒に変化させる膨脹弁(図示せず)と、前記第２室１４２の内部に設置され、前記膨脹弁を通過した低温低圧の液体冷媒を気化させながら周囲の熱を吸収する蒸発器３５と、該蒸発器３５周囲の空気が前記冷蔵室１２に供給されるように回転する循環ファン８２と、前記第１室１４１の内部に配設され、回転しながら前記凝縮器３４内部の冷媒を放熱させる凝縮器ファン８４と、前記ケーシング３２に固定され、その両方側に一対の回転軸８６がそれぞれ延長されて前記循環ファン８２及び前記凝縮器ファン８４にそれぞれ連結される駆動モータ８０と、このような冷凍ユニット３１の各構成要素を底面に支持させるベースプレート５０と、を含んで構成されている。
【００２２】
このように構成された本発明に係る冷蔵庫の第２実施形態は、蒸発器３５により冷却された冷気を冷蔵室１２に供給する循環ファン８２及び前記凝縮器３４内部の冷媒を放熱させるための凝縮器ファン８４が一つの駆動モータ８０の両方側に同時に連結されるため、駆動モータ８０の個数を減らして費用を低減し、冷凍ユニットの構造を単純化し得るという利点がある。
【００２３】
本発明に係る第２実施形態の冷蔵庫の動作及び効果は、前述した第１実施形態とほぼ同様である。
【図面の簡単な説明】
【００２４】
【図１】本発明に係る冷蔵庫の第１実施形態を示した縦断面図である。
【図２】図１の冷蔵庫に備えられるキャビネットを示した斜視図である。
【図３】図１の冷蔵庫に備えられる冷凍ユニットを示した縦断面図である。
【図４】本発明に係る冷蔵庫の第２実施形態を示した縦断面図である。
【図５】図４の冷蔵庫に備えられる冷凍ユニットを示した縦断面図である。
【図６】従来の冷蔵庫を示した概略縦断面図である。
【図７】図６の冷蔵庫に備えられる冷凍サイクルを示した概略説明図である。
【符号の説明】
【００２５】
１０    キャビネット
２０    区画パネル
３１    冷凍ユニット
３２    ケーシング
３３    圧縮器
３４    凝縮器
３５    蒸発器
３６    冷気循環装置
３７    放熱装置
８０    駆動モータ
８２    循環ファン
８４    凝縮器ファン
【図１】
2005037121.tif 000003
【図２】
2005037121.tif 000004
【図３】
2005037121.tif 000005
【図４】
2005037121.tif 000006
【図５】
2005037121.tif 000007
【図６】
2005037121.tif 000008
【図７】
2005037121.tif 000009